(57)【要約】【課題】      肘当ての位置変えが可能であると共に脱着が容易に出来る釣竿を提供することである。【解決手段】  肘当て部材３はゴム、エラストマ−、エチレン酢酸ビニ−ル、ポリプロピレン等の弾性材で湾曲した平板状の肘当て部３ａと円弧状の装着部３ｂが一体的に形成されて肘当て部３ａの上面に弾力性を有する金属又は合成樹脂の当て板４が固定されている。  装着部３ｂは元竿１の外周に嵌合される円弧状で中心に透孔３ｃが形成され、下側には長さ方向に切り欠き部３ｄが形成され、肘当て部３ａと装着部３ｂの連結位置の外側には連設部３ｅが設けられている。  当て板４の弾力性を利用して装着部３ｂを元竿１の外周に着脱したり、締め付けている。【選択図】        図２
2005278510.tif 000002
【特許請求の範囲】
【請求項１】
元竿に着脱可能に取り付けられる肘当て部材であって、該肘当て部材は凹状に湾曲した肘当て部と長さ方向に切り欠き部を有する柔軟性のある元竿への装着部を有していることを特徴とする釣竿。
【請求項２】
前記肘当て部は肘当接時に変形可能な弾力性を有する金属又は合成樹脂で構成されていることを特徴とする請求項１記載の釣竿。
【請求項３】
前記元竿に前記肘当て部材を装着する際、前記切り欠き部の長さ方向の切り欠き幅が異なることを特徴とする請求項１記載の釣竿。
【請求項４】
前記切り欠き部は元竿への装着部よりも柔軟性があることを特徴とする請求項１記載の釣竿。
【請求項５】
前記肘当て部材と元竿への装着部との間に連設部を設けたことを特徴とする請求項２記載の釣竿。
【請求項６】
前記切り欠き部に該切り欠き部幅よりも広い開口幅を有する長さ方向の案内部を設けたことを特徴とする請求項１記載の釣竿。
【発明の詳細な説明】
【技術分野】
【０００１】
本発明は、元竿に装着する肘当てを改良した釣竿に関する。
【背景技術】
【０００２】
従来肘当てとして特許文献１のように、肘当ての前後のベロ部分を釣竿に固定具を使用して固定することが知られている。
これにより肘当てを自分の好みの位置に固定することは可能であるが、固定具によっては一旦竿に固定してしまうと、それ以降取付位置を変えることが困難であった。
【特許文献１】特開平１０−３３０９２号公報
【発明の開示】
【発明が解決しようとする課題】
【０００３】
解決しようとする課題は、肘当ての取付位置を変えることが出来、脱着が容易に出来るようにすることである。
【０００４】
本発明の目的は前記欠点に鑑み、肘当ての位置変えが可能であると共に脱着がしやすい肘当てを装着した釣竿を提供することである。
【課題を解決するための手段】
【０００５】
請求項１に係わる本発明は、元竿に着脱可能に取り付けられる肘当て部材であって、該肘当て部材は凹状に湾曲した肘当て部と長さ方向に切り欠き部を有する柔軟性のある元竿への装着部を有していることを要旨とするものである。
請求項２に係わる本発明は、前記肘当て部は肘当接時に変形可能な弾力性を有する金属又は合成樹脂で構成されていることを要旨とするものである。
請求項３に係わる本発明は、前記元竿に前記肘当て部材を装着する際、前記切り欠き部の長さ方向の切り欠き幅が異なることを要旨とするものである。
請求項４に係わる本発明は、前記切り欠き部は元竿への装着部よりも柔軟性があることを要旨とするものである。
請求項５に係わる本発明は、前記肘当て部材と元竿への装着部との間に連設部を設けたことを要旨とするものである。
請求項６に係わる本発明は、前記切り欠き部に該切り欠き部幅よりも広い開口幅を有する長さ方向の案内部を設けたことを要旨とするものである。
【発明の効果】
【０００６】
本発明によって、肘当て部材が元竿に脱着しやすい肘当て構造が実現できる。
【発明を実施するための最良の形態】
【０００７】
肘当て部材３はゴム、エラストマ−、エチレン酢酸ビニ−ル、ポリプロピレン等の弾性材で湾曲した平板状の肘当て部３ａと円弧状の元竿１への装着部３ｂが一体的に形成されて肘当て部３ａの上面に材料的に弾力性を有する金属又は合成樹脂の湾曲した平板状の当て板４が固定されている。
元竿１への装着部３ｂは元竿１の外周に嵌合される円弧状で中心に透孔３ｃが形成され、下側には長さ方向に切り欠き部３ｄが形成されている。
肘当て部３ａと装着部３ｂの連結位置の外側には連設部３ｅが設けられている。
当て板４の弾力性を利用して装着部３ｂを元竿１の外周に着脱したり、締め付けている。
【実施例１】
【０００８】
以下、本発明を実施例で図面に基づき説明すると、図１から図３は第１実施例で、図１はリ−ル装着部が仮想線の手で握られた側面図、図２の（ａ）は元竿を断面にした肘当て部材の正面図で（ｂ）は肘当て部材の側面図、図３は仮想線が元竿に肘当て部材を着脱時の斜視図である。
【０００９】
釣竿は、元竿１の前側に図示しない中竿や穂先竿が振り出し式や並継ぎ式に継合されている。
元竿１にはリ−ル１０のリ−ル装着部１１が固定されている。
元竿１の後端部１ａの内周に雌ネジが形成されて尻栓２が螺合されている。
尻栓２より前側の元竿１の外周に肘当て部材３が着脱可能に取り付けられている。
肘当て部材３はゴム、エラストマ−、エチレン酢酸ビニ−ル、ポリプロピレン等の弾性材で湾曲した平板状の肘当て部３ａと円弧状の元竿１への装着部３ｂが一体的に形成されて肘当て部３ａの上面に材料的に弾力性を有する金属例えば超弾性合金、形状記憶合金や弾性変形領域内で使用可能な肉厚を有するＳＵＳ等の金属、又は合成樹脂の湾曲した平板状の当て板４が固定されている。
元竿１への装着部３ｂは元竿１の外周に嵌合される円弧状で中心に透孔３ｃが形成され、下側には長さ方向に切り欠き部３ｄが形成されている。
肘当て部３ａと装着部３ｂの連結位置の外側には連設部３ｅが設けられている。
この連設部３ｅは肘当て部と装着部を繋ぐブリッジ状でも図示の様なくぼみ部を埋めた様な構造であっても良く、肘当て部の変形によって装着部が連動すれば良い。
【００１０】
元竿１に肘当て部材３が取り付けられる時は、当て板４と肘当て部３ａの長さ方向の両側を手の指で掴んで中心を下側に湾曲させることで、装着部３ｂの切り欠き部３ｄの間隔が開くようにして元竿１の外周に嵌合され、当て板４と肘当て部３ａの長さ方向の両側から手の指を離すことで、当て板４と肘当て部３ａの撓みが解除されて装着部３ｂで元竿１の外周が締め付けられるように構成されている。
また、この構成によれば、肘当て部３ａの上面は長さ方向の両側が少し盛り上がるように湾曲面に形成されている為、肘が当たると装着部３ｂが元竿１の外周を締め付ける構成となっている。
その為、肘載置時、肘当て部材３が緩みにくい効果も得ることができる。
肘当て部材３の取付位置は腕の長さに応じて設定することができる。
肘当て部材３が取り付けられる範囲の元竿１外周や装着部３ｂの内周面には摩擦係数の大きくなる材料を塗装したり貼着等してもよい。
【００１１】
リ−ル装着部１１でリ−ル１０が元竿１に装着された釣竿が手で握られる時は図１のように、リ−ル装着部１１が握られ、握った手の肘は肘当て部材３の当て板４の上に載せられる。
肘が当て板４の上に載せられることで、釣竿の操作性が向上する。
【００１２】
前記のように釣竿が構成されると、肘当て部材３が元竿１に脱着しやすい肘当て構造が実現できる。
【実施例２】
【００１３】
図４は第２実施例で、図４の（ａ）は肘当て部材の正面斜視図で（ｂ）は肘当て部材の装着部の断面平面図である。
【００１４】
第２実施例の肘当て部材３はゴム、エラストマ−、エチレン酢酸ビニ−ル、ポリプロピレン等の弾性材で湾曲した平板状の肘当て部３ａと円弧状の装着部３ｂが一体的に形成されている。
肘当て部３ａの上面は長さ方向の両側が少し盛り上がるように湾曲面に形成され、連設部が設けられている為、肘が当たると装着部３ｂが元竿１の外周を締め付ける構成となっている。
その為、肘載置時、肘当て部材３が緩みにくい効果も得ることができる。
装着部３ｂは元竿１の外周に嵌合される円弧状で中心に透孔３ｃが形成され、下側には長さ方向の一方の端が間隔αで狭く、他方の端が間隔βで広いテ−パ−状の切り欠き部３ｆが形成されて元竿１の外周に装着部３ｂを嵌め易くしている。
他の構成は前記第１実施例と略同一である。
【００１５】
元竿１に肘当て部材３が取り付けられる時は、切り欠き部３ｆの間隔が広いβ側の端を元竿１に載せて押し込んで間隔αの狭い一方の端も押し込む。
αとβで間隔が異なる為、押し込む際に押し込みやすい。
【実施例３】
【００１６】
図５は第３実施例で、図５の（ａ）は肘当て部材の正面斜視図で（ｂ）は肘当て部材の装着部の断面平面図である。
【００１７】
第３実施例では、肘当て部材３はゴム、エラストマ−、エチレン酢酸ビニ−ル、ポリプロピレン等の弾性材で湾曲した平板状の肘当て部３ａと円弧状の装着部３ｂが一体的に形成されている。
装着部３ｂは元竿１の外周に嵌合される円弧状で中心に透孔３ｃが形成されて下側には長さ方向に切り欠き部３ｄが形成され、切り欠き部３ｄの両側の縁に凹凸部３ｇが形成されて元竿１の外周に切り欠き部３ｄを変形して装着部３ｂを嵌め易くしている。
凹凸部３ｇのかわりに切り欠き部３ｄの内側に向かって肉厚が漸減したりしても良い。
他の構成は前記第１実施例と略同一である。
【実施例４】
【００１８】
図６は第４実施例で、図６は肘当て部材の正面斜視図である。
【００１９】
第４実施例では、肘当て部材３はゴム、エラストマ−、エチレン酢酸ビニ−ル、ポリプロピレン等の弾性材で湾曲した平板状の肘当て部３ａと円弧状の装着部３ｂが一体的に形成されている。
装着部３ｂは元竿１の外周に嵌合される円弧状で中心に透孔３ｃが形成されて下側には長さ方向に切り欠き部３ｄが形成され、切り欠き部３ｄの両側の縁に外側に向けて捲れた案内部３ｈが形成されて元竿１の外周に装着部３ｂを嵌め易くしている。
案内部とは切り欠き部３ｄの幅よりも広い幅で開口部が形成されていれば良く、捲れ方も曲線状でも直線状でも良い。
又、案内部３ｈの長さは長さ方向全体でも一部分でも良い。
他の構成は前記第１実施例と略同一である。
【実施例５】
【００２０】
図７は第５実施例で、図７は肘当て部材の正面斜視図である。
【００２１】
第５実施例では、肘当て部材３はゴム、エラストマ−、エチレン酢酸ビニ−ル、ポリプロピレン等の弾性材で湾曲した平板状の肘当て部３ａと円弧状の装着部３ｂが一体的に形成されている。
装着部３ｂは元竿１の外周に嵌合される円弧状で中心に透孔３ｃが形成されて下側には長さ方向に切り欠き部３ｄが形成されると共に切り欠き部３ｄの両側の材質を他の部分より軟質に形成されて軟質部分をγ、γとする。例えば、軟質部分の材質をスポンジ、軟質ゴム等で形成すると良い。ゴムの場合、ＪＩＳ  Ｋ６２５３デュロメータ硬さ試験タイプＥにより相対的に装着部より硬度が低いことをいう。
軟質部分γ、γの範囲δは切り欠き部３ｄを含めて６０°〜１００°程度とするとよい。
軟質部分γ、γは成形時に可塑剤を多く含有するように形成してもよい。
他の構成は前記第１実施例と略同一である。
【図面の簡単な説明】
【００２２】
【図１】第１実施例で、リ−ル装着部が仮想線の手で握られた側面図である。
【図２】同（ａ）は元竿を断面にした肘当て部材の正面図で（ｂ）は肘当て部材の側面図である。
【図３】同仮想線が元竿に肘当て部材を着脱時の斜視図である。
【図４】第２実施例で、（ａ）は肘当て部材の正面斜視図で（ｂ）は肘当て部材の装着部の断面平面図である。
【図５】第３実施例で、（ａ）は肘当て部材の正面斜視図で（ｂ）は肘当て部材の装着部の断面平面図である。
【図６】第４実施例で、肘当て部材の正面斜視図である。
【図７】第５実施例で、肘当て部材の正面斜視図である。
【符号の説明】
【００２３】
１  元竿
３  肘当て部材
３ａ  肘当て部
３ｂ  装着部
３ｄ  切り欠き部
３ｅ  連設部
３ｈ  案内部
【図１】
2005278510.tif 000003
【図２】
2005278510.tif 000004
【図３】
2005278510.tif 000005
【図４】
2005278510.tif 000006
【図５】
2005278510.tif 000007
【図６】
2005278510.tif 000008
【図７】
2005278510.tif 000009